(57)【特許請求の範囲】
【請求項１】
粉末原料とフィルタを含む容器である抽出用容器の内部に湯を供給することにより、当該抽出用容器外へ前記フィルタを介して抽出液を得るための抽出装置であって、
前記湯を貯留するための湯沸しタンクと、
前記湯沸しタンク内に備えられたヒータと、
前記湯沸しタンクに供給するために水を貯める貯水タンクと、
前記貯水タンク内に水が特定の量貯まっているか否かを検知するセンサと、
前記貯水タンクに水を導入するための信号である水導入信号を出力する導入用信号出力部と、
前記導入用信号出力部に水導入信号を出力させるか否かを設定する水導入設定部と、
前記ヒータの動作を制御するヒータ制御部とを含み、
前記水導入設定部において前記水導入信号を出力させると設定されている場合には、前記導入用信号出力部は、前記センサが前記貯水タンク内の水が前記特定の量に達したと検知してから所定の時間が経過するまで前記水導入信号を出力した後前記水導入信号の出力を停止し、前記ヒータ制御部は、前記水導入信号の出力が停止された後、前記前記ヒータに加熱を開始させ、
前記水導入設定部において前記水導入信号を出力させないと設定されている場合には、前記ヒータ制御部は、前記センサが前記貯水タンク内の水が前記特定の量に達したと検知したことに応じて、前記前記ヒータに加熱を開始させる、抽出装置。
【請求項２】
前記ヒータの発熱部は、らせん形状を有する部分を備える、請求項１に記載の抽出装置。
【請求項３】
前記湯沸しタンクに接続され、前記湯沸しタンク内の湯を排出するか否かを切替えるために当該湯沸しタンクを開閉するための開閉部をさらに含み、
前記湯沸しタンクは、前記開閉部に接続する部分に排出孔を形成され、かつ、前記開閉部と接続するためのナットを備え、
前記ナットは、前記湯沸しタンク内において、当該ナットの外周部から前記排出孔に接続する切欠きを形成されている、請求項１または請求項２に記載の抽出装置。
【発明の詳細な説明】
【０００１】
【発明の属する技術分野】
本発明は、抽出装置に関し、特に、粉末原料とフィルタを含む容器に湯を供給することにより抽出液を得るための抽出装置に関する。
【０００２】
【従来の技術】
従来から、コーヒー飲料の自動販売機等、粉末原料とフィルタとを含む容器６００に自動的に湯を供給し、抽出液を得る装置があった。このような装置における概略的な給湯機構を、図２６に示す。
【０００３】
図２６に示された装置では、貯水タンク５０３に供給された水が、貯湯タンク５０５に送られ、当該貯湯タンク５０５でヒータ５５０により加熱され湯にされて、容量を予め定められたメジャーカップ５０７に送られる。そして、メジャーカップ５０７内の湯は、温度センサ５５４により所定の温度に到達したと検知されたことを条件として、ポンプ５０６から送られる空気により、粉末原料とフィルタを含む容器６００に送られる。そして、当該容器６００から得られる抽出液が、カップ４００に供給される。
【０００４】
なお、貯湯タンク５０５の蒸気は、蒸気管５５９を介して、貯水タンク５０３に送られていた。また、貯水タンク５０３内の比較的下方に取付けられた水位センサ５３０によって水切れが検知されると、抽出装置は、その旨をユーザに対して報知し、運転を停止していた。そして、当該報知に基づいて、ユーザが貯水タンク５０３に水を供給することにより、水位センサ５３０により水切れの検知が解除され、抽出装置は運転を再開していた。
【０００５】
【発明が解決しようとする課題】
図２６に示された装置を、貯水タンク５０３へ自動で水が供給されるよう構成しようとすると、設計変更が必要とされた。これは、貯水タンク５０３への水の供給が手動か自動かによって、当該装置における水位センサ５３０の検知する目的が異なっていたためである。
【０００６】
具体的には、水が手動で供給される場合、水位センサ５３０は、空炊きを防止するレベルで、貯水タンク５０３において、水位が比較的少量となったときに、水切れの検知が行なわれるよう、抽出装置は設計されていた。
【０００７】
一方、水が自動で供給される場合、水位センサは、貯水タンク５０３への給水を止めるために、つまり、貯水タンク５０３の満水に近い状態で水切れの検知を行なうよう設計されていた。
【０００８】
なお、水を手動で供給するのに適するよう設計された装置が、水を自動で供給する状況で用いられた場合、貯水タンク５０３の水は、常に、水位センサ５３０の水切れの検知が行なわれる量で、つまり、上記したように、比較的少ない状態で、保たれることになる。このような状況は、貯水タンク５０３内において、常に水に余裕のない状態であるため危険であり、また、水が使用されるとすぐに給水されることにあり、また、給水のオン／オフを切替える弁の開閉回数が多くなり、好ましくない。
【０００９】
一方、水を自動で供給するのに適するように設計された装置が、水を手動で供給する状況で用いられた場合、水位センサ５３０は、貯水タンク５０３に水が比較的多く残っている状態でも水切れを検知するため、利用者は、こまめに水を供給することを要求され、不快に思う事態が考えられる。つまり、水を自動で供給するのに適するように設計された装置は、水を手動で供給する状況で用いられることは、好ましくないことになる。
【００１０】
以上のように、従来の抽出装置は、水を自動で供給するのに適するように設計されたものと、手動で供給するのに適するように設計されたものとで、互換性がなく、使い勝手のよいものとはいいにくかった。
【００１１】
また、図２６に示された装置では、蒸気管５５９に貯湯タンク５０５内の湯が入り込んだ場合、当該湯の入り込む量が多くなると、または、貯水タンク５０３において蒸気管５５９の接続部分の付近まで水が入れられると、貯水タンク５０３と貯湯タンク５０５との間で、水の循環が発生する事態が考えられる。このような循環が生じた場合、ヒータ５５０は、貯湯タンク５０５およびメジャーカップ５０７内の水に加えて、貯水タンク５０３内の水も加熱しなければならなくなる。このため、ヒータ５５０に無駄な加熱を行なわせ、ランニングコストを増大させ、ひいては、貯水タンク５０３に水が供給されてからメジャーカップ５０７内の湯が上記した所定の温度に到達するまでの時間を無駄に長引かせていたため、ユーザにとって使い勝手のよいものとは言いにくかった。
【００１２】
本発明は、かかる実情に鑑み考え出されたものであり、その目的は、ユーザにとって使い勝手のよい抽出装置を提供することである。
【００１３】
【課題を解決するための手段】
本発明のある局面に従った抽出装置は、粉末原料とフィルタを含む容器である抽出用容器の内部に湯を供給することにより、当該抽出用容器外へ前記フィルタを介して抽出液を得るための抽出装置であって、前記湯を貯留するための湯沸しタンクと、前記湯沸しタンク内に備えられたヒータと、前記湯沸しタンクに供給するために水を貯める貯水タンクと、前記貯水タンク内に水が特定の量貯まっているか否かを検知するセンサと、前記貯水タンクに水を導入するための信号である水導入信号を出力する導入用信号出力部と、前記導入用信号出力部に水導入信号を出力させるか否かを設定する水導入設定部と、前記ヒータの動作を制御するヒータ制御部とを含むことを特徴とする。なお、前記水導入設定部において前記水導入信号を出力させると設定されている場合には、前記導入用信号出力部は、前記センサが前記貯水タンク内の水が前記特定の量に達したと検知してから所定の時間が経過するまで前記水導入信号を出力した後前記水導入信号の出力を停止し、前記ヒータ制御部は、前記水導入信号の出力が停止された後、前記前記ヒータに加熱を開始させ、前記水導入設定部において前記水導入信号を出力させないと設定されている場合には、前記ヒータ制御部は、前記センサが前記貯水タンク内の水が前記特定の量に達したと検知したことに応じて、前記前記ヒータに加熱を開始させる。
【００１４】
本発明のある局面によると、抽出装置は、水導入設定部における設定に応じて、センサにおける水切れの検知が解除されてから所定時間自動的に水を供給させた後ヒータによる加熱を開始させるか、センサにおける水切れの検知が解除されたことに応じてヒータによる加熱を開始させるか、の２通りのいずれかで動作が可能となる。
【００１５】
これにより、抽出装置は、センサの検知する上記の特定の量が比較的少量の場合、つまり、抽出装置が手動で水を供給するのに適するように設計されている場合に、貯水タンクに水を自動的に供給される状況で使用されても、当該貯水タンク内の水を、当該センサが水切れを検知する量よりも多い量で、保たせることができる。したがって、抽出装置は、設計変更されることなく、貯水タンクに、水を自動で供給しても手動で供給しても、安全にかつ快適に使用される。
【００１６】
また、本発明の抽出装置では、前記ヒータの発熱部は、らせん形状を有する部分を備えることが好ましい。
【００１７】
これにより、湯沸しタンクにおける湯の加熱が効率よく行なわれる。
【００３２】
また、本発明の抽出装置は、前記湯沸しタンクに接続され、前記湯沸しタンク内の湯を排出するか否かを切替えるために当該湯沸しタンクを開閉するための開閉部をさらに含み、前記湯沸しタンクは、前記開閉部に接続する部分に排出孔を形成され、かつ、前記開閉部と接続するためのナットを備え、前記ナットは、前記湯沸しタンク内において、当該ナットの外周部から前記排出孔に接続する切欠きを形成されていることが好ましい。
【００３３】
これにより、湯沸しタンク内の湯が排出される際、ナット付近の湯が、切欠きに沿って、ナット外周部から排出孔に流れるため、ナット付近に残留することを回避できる。
【００３４】
【発明の実施の形態】
以下に、本発明の一実施の形態である抽出装置について、図面を参照しつつ説明する。図１は、本発明の一実施の形態である抽出装置の斜視図であり、図２は、当該抽出装置の正面図であり、図３は、当該抽出装置の右側面図である。図４は、当該抽出装置の下部の斜視図である。
【００３５】
抽出装置１は、その外郭を外装部２に覆われ、その前面の左上部に操作パネル２０を備え、前面の右上部に引出し２９を備え、前面の下部にトレイ４を取付けられている。抽出装置１は、粉末原料とフィルタとを含む容器である抽出用容器（後述する抽出用カップ１００）を引出し２９内にセットされることにより、当該抽出用容器に湯を供給して、当該抽出用容器内の粉末原料の抽出液を供給する。図１に示す状態では、トレイ４上にさらにカップ台４０が取付けられ、当該カップ台４０上にカップ４００が載置されている。この状態で、カップ４００は、引出し２９の下方に位置する。そして、抽出装置１は、カップ４００に、上記の抽出液を供給できる。
【００３６】
操作パネル２０には、スタートボタン２１，２２と、窓２３と、ランプ２４〜２７が設けられている。スタートボタン２１は、ユーザが抽出液を熱い状態で飲むために、上記の粉末原料の抽出動作を実行させるためのキーである。以下、熱い状態で飲まれるための抽出液を「ホット用の抽出液」という。スタートボタン２２は、ユーザが、抽出液を氷を加えられる等して冷たい状態で飲むために、上記の粉末原料の抽出動作（以下、単に抽出動作という）を実行させるためのキーである。以下、冷たい状態で飲まれるための抽出液を「アイス用の抽出液」という。なお、一回の抽出動作によるアイス用の抽出液は、ホット用の抽出液よりも、量が少ない。氷と混ぜられることにより、ホット用の抽出液と同量となることを意図されるためである。
【００３７】
抽出装置１は、外装部２の内部に、タンク（後述する貯水タンク３）を収容している。貯水タンク３は、タンクふた４１により蓋をされ、その一部が窓２３を介して抽出装置の外部から視認可能である。なお、当該タンクは、透明または半透明の材質から構成されているため、ユーザは、窓２３を介して、タンク内の水の残量を視認できる。なお、貯水タンク３は、タンクふた４１を開けられることにより、外装部２から取出されることなく、外部から水を供給される。
【００３８】
抽出装置１の前面下部には、ダストカバー２８が取付けられている。外装部２の内側であって、ダストカバー２８の奥には、図４に示すように、ダストボックス４２が収容されている。抽出用カップ１００は、一回の抽出動作ごとに交換されるものであり、ダストボックス４２は、抽出動作に使用された後の抽出用カップ１００を収容するために、外装部２内に備えられる。ダストカバー２８は、その上端を外装部２の前面に固定されている。そして、ダストカバー２８が、その上端を中心に回転されることにより、図３または図４に示すように、ダストボックス４２を、外装部２外へ取出すことが可能な状態となる。
【００３９】
ランプ２４は、抽出装置１が、抽出動作をするための準備の状態にあるときに点灯される。ランプ２５は、抽出装置１が、抽出動作を実行可能な状態にあるときに点灯される。ランプ２６は、貯水タンク３に対して水の供給が必要とされたとき（後述する水位センサ３０により水切れが検知されたとき）に点灯される。ランプ２７は、所定のセンサによりダストボックス４２が満杯になったことが検知されたときに点灯される。
【００４０】
図５に、抽出装置１の内部構造を模式的に示す。
抽出装置１では、貯水タンク３に供給された水が、管５１を介して貯湯タンク５に導入される。貯湯タンク５に導入された水は、ヒータ５０により加熱される。貯湯タンク５内の上部に位置する湯の温度は、温度センサ５４によって検知される。そして、温度センサ５４の検知温度が所定の温度に達し、かつ、スタートボタン２１または２２が押圧されると、ギヤポンプ６が駆動されることにより、貯湯タンク５内の湯が、流出路５２、管５３、および、三方電磁弁６０を介して、ギヤポンプ６に導かれ、さらに、管６３および導入針６５を介して、抽出用カップ１００に供給される。なお、貯湯タンク５内の蒸気は、蒸気管５９を介して貯水タンク３に送られる。
【００４１】
導入針６５は、中空の針である。抽出用カップ１００は、カップホルダ３１内のカップ受け３２に嵌め込まれることにより、固定される。カップホルダ３１は、引出し２９内に着脱自在に固定される。導入針６５には、固定部材６４が取付けられている。カップホルダ３１は、左右両端にピン３１Ａ，３１Ｂを形成されており、引出し２９に適宜設けられた穴にピン３１Ａ，３１Ｂを引っ掛けられるか嵌め込まれることにより、引出し２９に対してピン３１Ａ，３１Ｂを軸として回転することができる。カップホルダ３１が引出し２９に対してこのように回転することにより、抽出用カップ１００は、ダストボックス４２へと投げ込まれる。
【００４２】
上記した、抽出用カップ１００への湯の供給は、導入針６５および固定用部材６４が、所定の機構により、カップホルダ３１に固定された抽出用カップ１００に近づけられ、そして、導入針６５が、抽出用カップ１００内に挿入された状態で、抽出動作が行なわれる。
【００４３】
三方電磁弁６０は、管６２と、管５３または吸気孔６１を接続させる。管６２が管５３と接続されれば、上記したように、管６２から管５３へ貯湯タンク５の湯が流れることができる。一方、管６２が吸気孔６１と接続されれば、ギヤポンプ６、管６３、および、導入針６５を介して、抽出用カップ１００に空気が吹込まれる。三方電磁弁６０が、ギヤポンプ６よりも、抽出用カップ１００へ湯または空気が送られる流れについて上手側に位置することにより、湯および空気のいずれもが、ギヤポンプ６のより、抽出用カップ１００へ送りこむことができる。
【００４４】
貯湯タンク５の底部には、ドレンコック５７、および、排水管５６が接続されている。ドレンコック５７は、ナット５８によって、貯湯タンク５の底部に取付けられている。ドレンコック５７は、弁の機能を有し、当該弁は、操作レバー５５により開閉の切替えがなされる。つまり、操作レバー５５が操作されることによりドレンコック５７が開き、貯湯タンク５内の湯（または水）が、ドレンコック５７を介し、排水管５６を通って排出される。
【００４５】
以下、抽出装置１の内部構造について、説明する。図６は、抽出装置１の、外装部２の前面部分を外した状態での正面図であり、図７は、抽出装置１の、外装部２の上面部分を外した状態での平面図である。図８は、抽出装置１の、外装部２の右側面部分を外した状態での右側面図である。なお、図６では、当該貯湯タンク５よりも前方にある部材を一部破断させ、かつ、貯湯タンク５の内部を詳細に説明するために、その縦断面が示されている。また、図８では、抽出室７０の内部構造を示すため、当該抽出室７０を一部破断させて示し、かつ、引出し２９についても、一部破断させて示している。
【００４６】
図６〜図８を参照して、抽出装置１の内部では、上部左側に貯水タンク３が配置され、上部右側の前方に抽出室７０が配置されている。なお、ダストボックス４２と抽出室７０との間には、仕切り板８５が設置されている。また、抽出装置１内の後方下部には、貯湯タンク５が設置され、貯水タンク３の後端部に、貯湯タンク５から伸びる蒸気管５９が接続されている。また、貯水タンク３の後方には、三方電磁弁６０が設置されている。さらに、貯水タンク３の上部には、タンクふた４１で蓋をされる、フィルタ４３が備えられている。ユーザは、タンクふた４１を開け、フィルタ４３を介して、貯水タンク３内に水を補充する。
【００４７】
抽出室７０は、上面、後面、および、左右側面を備えた筐体である。抽出室７０の内部の左右側面には、それぞれ、スライドレール７１，７２を取付けられている。引出し２９には、左右それぞれにアーム２９Ａ，２９Ｂが取付けられ、アーム２９Ａ，２９Ｂは、それぞれ、スライドレール７１，７２に取付けられている。スライドレール７１，７２は伸縮自在に構成され、引出し２９が前方に引出されることにより、スライドレール７１，７２が伸びる。このようにして、引出し２９は、抽出装置１の前後方向に移動する。引出し２９が引出された状態を、さらに図９を参照して詳細に説明する。図９は、抽出装置１において、引出し２９が引出された状態での、引出し２９付近を示す図である。
【００４８】
アーム２９Ａ，２９Ｂには、上記したカップホルダ３１のピン３１Ａ，３１Ｂが嵌め込まれている。これにより、アーム２９Ａとアーム２９Ｂの間に、カップホルダ３１が着脱自在に固定されている。スライドレール７１，７２は、伸縮自在に構成され、図９に示す状態では、アーム２９Ａ，２９Ｂを嵌め込まれた状態で伸び、図７等に示す状態では、縮んだ状態となっている。
【００４９】
抽出室７０の下部には、仕切り板８５を貫通するように、ファネル３３が備えられている。スライドレール７１，７２が縮み、カップホルダ３１が外装部２内に収容され、抽出動作が行なわれる際、ファネル３３は、カップホルダ３１にセットされた抽出用カップの下方に位置する。そして、抽出用カップ１００内に湯が供給された際、当該抽出用カップ１００から流れる抽出液は、ファネル３３を介して、カップ４００等の容器に提供される。詳しくは、ファネル３３は、下方に、抽出口３３Ａを備え、抽出液は、当該抽出口３３Ａを介して、カップ４００等の容器に提供される。
【００５０】
抽出室７０内の天面の中央部分には、前後方向に走るように、レール６９が取付けられている。また、歯板７５は、上面に刻み目を形成され、下部側面をレール６９に嵌め込まれている。また、歯板７５の中で、刻み目のある上面は抽出室７０よりも上に位置し、レール６９に嵌め込まれる下部側面は抽出室７０内に位置する。抽出室７０の内部であって歯板７５の後端には、アーム７９の一端が取付けられている。アーム７９の他端は、固定部材６４に取付けられている。
【００５１】
抽出室７０の内部の左右側面には、縦方向に伸びるレール６８，６７が取付けられている。そして、固定部材６４の左右側面に適宜取付けられた部材がレール６８，６７に嵌め込まれることにより、固定部材６４は、レール６８，６７に沿って、上下方向に移動可能に構成されている。
【００５２】
抽出室７０の上部には、ギヤモータ７３および当該ギヤモータ７３に接続されたギヤ７４が取付けられている。ギヤモータ７３が駆動されることにより、ギヤ７４が回転する。ギヤ７４は、歯板７５の上面の刻み目と噛み合っている。そして、ギヤ７４が回転することにより、歯板７５は、ギヤ７４の回転方向に応じて、ギヤ７４に対して前方または後方にスライド移動する。歯板７５が前方または後方に移動することにより、アーム７９の伸びる角度が変化する。アーム７９の伸びる角度が変化することにより、固定部材６４の高さが変化する。
【００５３】
ここで、図１０および図１１をさらに参照することにより、ギヤ７４の回転に応じた、固定部材６４の高さの変化について説明する。なお、図１０は、固定部材６４が、抽出装置１において待機位置にある状態を示し、図１１は、固定部材６４が、抽出動作時の位置にある状態を示している。
【００５４】
固定部材６４には、アーム７９の他端が取付けられ、さらに、管６３の一端が取付けられている。また、管６３の一端には、導入針６５が取付けられている。カップホルダ３１のカップ受け３２に、抽出用カップ１００がセットされている。図１０に示す状態では、歯板７５の前端が、ギヤ７４と嵌合している。そして、ギヤモータ７３がある方向（ギヤ７４を図１０の反時計方向に回転させる方向）に回転することにより、歯板７５が図１０の右方向（抽出装置１においては前方向）に進められる。歯板７５が図１０の右方向に進められることに伴って、アーム７９の一端（歯板７５に取付けられている端部）も図１０の右方向にその高さを変えることなく進み、これにより、アーム７９の他端が固定部材６４をレール６８，６７に沿って下方に移動させる。
【００５５】
そして、ギヤ７４の回転が、歯板７５の後端（図１０では左端）がギヤ７４と嵌合する位置に到達するまで行なわれると、図１１に示すように、固定部材６４が抽出用カップ１００の上面に当接しさらに当該抽出用カップ１００を下方に押し付ける。なお、図１１に示す状態では、導入針６５が、抽出用カップ１００の上面から内部に挿し込まれる。
【００５６】
カップホルダ３１の底部には、中空の抽出用針３１Ｃおよび抽出用針３１に接続された抽出用経路３１Ｄが備えられている。図１０に示す状態では、抽出用カップ１００は、抽出用針３１Ｃからは浮いた状態でセットされている。そして、図１１に示す状態では、抽出用カップ１００は、下方に押し付けられることにより、カップ受け３２と共にカップホルダ３１に押し付けられる。これにより、抽出用針３１が、抽出用カップ１００の底に挿し込まれる。そして、図１１に示す状態で、管６３から導入針６５を介して抽出用カップ１００内に湯が導入されると、抽出用カップ１００で生じる抽出液が、抽出用針３１Ｃおよび抽出用経路３１Ｄを介してファネル３３に流れ、抽出口３３Ａを介して、カップ４００等の容器に提供される。
【００５７】
以上説明したように、抽出動作が行なわれる際、ギヤモータ７３が回転することにより、固定部材６４が下方に移動し、導入針６５が抽出用カップ１００の内部に挿し込まれ、抽出用針３１Ｃが、抽出用カップ１００の底に挿し込まれる。なお、抽出動作が終了すると、ギヤモータ７３が、上記したある方向と逆方向に回転することにより、図１１から図１０に示す状態へと戻る。これにより、導入針６５および抽出用針３１Ｃは、抽出用カップ１００から離れる。
【００５８】
なお、固定部材６４には、スイッチ８６が固定されている。スイッチ８６は、レバー８６Ａを備え、当該レバー８６Ａが上方向に押圧されることにより、回路の開閉を切り替えられるよう構成されている。図１０に示す状態では、レバー８６Ａは押圧されていないが、図１１に示す状態では、レバー８６Ａは抽出用カップ１００により上方向に押圧され、スイッチ８６の本体内に収容されている。これにより、抽出用カップ１００がカップ受け３２内にセットされていれば、固定部材６４が図１１に示すように下方に移動された際、抽出用カップ１００が、スイッチ８６に回路の開閉を切替えさせられる。
【００５９】
また、図１０および図１１では図示を省略したが、固定部材６４には、引出し２９のアーム２９Ａと当接する部分が備えられている。図１２は、抽出動作が行なわれる際に、固定部材６４と引出し２９とが部分的に当接する状態を示す図である。なお、図１０および図１１は、抽出室７０の内部を左から見た図であって、抽出用カップ１００の内部を示すためにアーム２９Ａを省略した図であったが、図１２は、抽出室７０の内部を左から見た図であって、アーム２９Ａよりさらに左方から見た状態を示している。また、図１２に示す状態では、固定部材６４は、図１１で示した状態と同様に、抽出動作が行なわれる際の位置、つまり、最も下方まで移動した位置にある。
【００６０】
固定部材６４は、その左端に、下方に伸びるピン６４Ａを備えている。また、引出し２９は、アーム２９Ａの左側面に、凸部２９０を備えている。そして、引出し２９が抽出室７０内に収容され、抽出用カップ１００が抽出動作に適した位置となるような状態とされる場合、凸部２９０は、ピン６４Ａよりも後方（図１２では左方）に位置している。そして、この状態では、引出し２９を前方（図１２では右方）に引出そうとしても、凸部２９０がピン６４Ａに引っかかることにより、引出しが阻止される。つまり、抽出装置１では、抽出動作が行なわれている際には、引出し２９を引出すことが防止される。これにより、導入針６５から導入される熱湯が飛び散ったりすることが回避される。
【００６１】
また、図１０〜図１２では図示を省略されているが、抽出装置１では、引出し２９が抽出動作に適する位置にあることを検知するスイッチ（後述する扉スイッチ）が備えられている。当該スイッチの検知出力により、引出し２９が抽出動作に適する位置（カップ受け３２にセットされた抽出用カップ１００が図１１に示すように導入針６５および抽出用針３１Ｃを挿し込まれる位置）にあるか否かが検知可能となっている。
【００６２】
再度、図６〜図８を参照して、外装部２の内部であって、ダストボックス４２および仕切り板８５の後方には、プラスティック等の撥水性の部材である仕切り板８２が備えられており、仕切り板８２の上方には、ポンプ用ケース８０が設置されている。ポンプ用ケース８０には、ギヤポンプ６が収容されている。また、仕切り板８２の下面には、回路基板６６が取付けられている。仕切り板８２、ポンプ用ケース８０、および、回路基板６６の位置関係を、図１３に示す。
【００６３】
図１３をさらに参照して、回路基板６６と貯湯タンク５との間には、仕切り板８３が供えられている。また、貯湯タンク５の前方には、仕切り板８４が供えられている。回路基板６６には、抽出装置１内の、ギヤポンプ６を駆動するための回路等、種々の回路部品が実装されている。抽出装置１の外装部２の内部では、上部に、管６２，６３等の湯の通る管が配置され、その下方に、回路基板６６が配置されている。これにより、管６２，６３から熱気が漏れた場合でも、当該熱気が回路基板６６に伝わることを回避できる。また、回路基板６６の上方は、仕切り板８２によって覆われている。これにより、管６２，６３の外表面に結露した場合や、万が一管６２，６３に亀裂が生じた場合でも、それに基づく水滴が回路基板６６に直接付着することを回避できる。また、仕切り板８３，８４が備えられることにより、貯湯タンク５付近に生じる蒸気が、外装部２内に広がることが抑えられる。
【００６４】
ポンプ用ケース８０には、ギヤポンプ６が収容され、ギヤポンプ６を駆動するモータ８１は、ギヤポンプ６に取付けられているが、その大部分がケース８０の外に突出している。図１４に、図１３に示したポンプ用ケース８０の内部構造を示す。なお、図１４は、ポンプ用ケース８０の横断面を上から見た状態を示す。
【００６５】
図１４をさらに参照して、管６２，６３は、ポンプ用ケース８０内のギヤポンプ６に接続するために、ポンプ用ケース８０を貫通している。ポンプ用ケース８０の内壁には、ギヤポンプ６が湯を送る際に生じる音を吸収するための吸音部材８０Ａが取付けられている。これにより、抽出装置１において抽出動作が行なわれる際の騒音が抑えられる。また、モータ８１の少なくとも一部がポンプ用ケース８０外に出されることにより、モータ８１が駆動した場合でも、モータ８１の放熱が充分に行なわれる。
【００６６】
再度、図６〜図８を参照して、貯湯タンク５内には、ヒータ５０が備えられている。ヒータ５０は、その一部分が螺旋構造を有している。このようにヒータ５０が螺旋構造を備えることにより、直線構造のみでヒータが構成されるよりも、強力にかつ速く貯湯タンク５内の湯を加熱できるため、抽出のための準備時間を短縮できる。また、螺旋構造は、貯湯タンク５内の上部、たとえば、貯湯タンク５の上半分の領域に位置している。このように、螺旋部分を流出路５２に近づけることにより、抽出用カップ１００に、温度の高い湯を効率良く供給できる。
【００６７】
次に、貯湯タンク５の底部付近の構造を、図１５をさらに参照して説明する。図１５には、貯湯タンク５および貯湯タンク５の底部に取付けられたナット５８の縦断面、ならびに、ドレンコック５７および操作レバー５５の側面が示されている。ドレンコック５７は、接続筒５７Ａに排水管５６を接続される。
【００６８】
ナット５８は、水平面５８Ａと垂直方向に伸びる筒部５８Ｂとを備えている。水平面５８Ａは、円盤が、その外周部から内部に向けて部分的に切欠き５８Ｘを形成された形状を有している。図１６に、ナット５８の平面図を示す。水平面５８Ａに、筒部５８Ｂ内の空洞部と接続されるような切欠き５８Ｘが形成されることにより、ナット５８は、垂直方向に貫通した孔を有している。また、貯湯タンク５の下部は、その壁面が傾斜を有している。操作レバー５５が開かれて、貯湯タンク５からドレンコック５７を介して排水管５６に湯が排出される際、下部の壁面の傾斜により、貯湯タンク５の底部中央に、湯が集められる。そして、底部中央であって、ナット５８付近に集まった湯は、切欠き５８Ｘから筒部５８Ｂ内の空洞からドレンコック５７に導かれる。これにより、操作レバー５５が開かれると、貯湯タンク５内の湯が、残らず、ドレンコック５７を介して排水管５６に導かれることになる。
【００６９】
図１７に、蒸気管５９と貯水タンク３との接続部分の拡大図を示す。蒸気管５９は、貯水タンク３と接続する部分５９Ａの内径を、貯水タンク３側の方が小さくされている。これにより、蒸気管５９に貯湯タンク５内の湯が侵入した場合でも、当該湯が貯水タンク３内に流れることを回避できる。したがって、たとえ一時的にでも蒸気管５内に多くの湯が混入した場合に蒸気管５が湯の循環経路となって、または、貯水タンク３において蒸気管５との接続部分近傍まで水が入れられた場合であっても、貯水タンク３と貯湯タンク５との間で湯（または水）が循環される事態を回避できる。これにより、貯水タンク３と貯湯タンク５との間で水が循環し、貯湯タンク５のヒータ５０が、貯水タンク３内の水までも貯湯タンク５内の湯と同じ温度まで加熱しなければ抽出が開始されない、という事態を回避できる。蒸気管５９内の蒸気を多く貯水タンク３に導くためには、蒸気管５９において部分５９Ａのように内径が変化する部分は、貯水タンク３に近い位置が好ましく、貯水タンク３と蒸気管５９とが接続する位置がより好ましい。
【００７０】
図１８に、貯湯タンク５の上部に備えられた流出路５２付近の拡大図を示す。流出路５２は、管５３と接続されている。流出路５２の近傍には、温度センサ５４をセットされるセンサ用孔５４Ａが形成されている。なお、図１８では、温度センサ５４の図示は省略している。
【００７１】
流出路５２が管５３と接続されることにより、当該流出路５２の下端は、ギヤポンプ６に湯を流す管の貯湯タンク５側の開口となっている。そして、流出路５２の下部には、当該流出路５２の下端の開口に当該開口と距離をおいて垂直方向に対向するように整流部材５２Ａが取付けられている。整流部材５２Ａが取付けられることにより、流出路５２の下端から貯湯タンク５内の湯が吸上げられる際、垂直方向（図１８中の矢印Ｐ方向）からは流出路５２に湯が導入されなくなる。具体的には、整流部材５２Ａの内壁に沿った方向（図１８中の矢印Ｑ方向）から、流出路５２に主に湯が導入される。これにより、貯湯タンク５内に、湯が加熱される際に気泡が発生した場合でも、当該気泡が流出路５２，管５３を介してギヤポンプ６に吸引されることを回避できる。抽出装置１では、ギヤポンプ６を用いることにより、予め定められた量の湯を、抽出用カップ１００に導入しようとしている。そして、抽出装置１は、整流部材５２Ａが備えられることにより、ギヤポンプ６に空気が送られることが回避され、これにより、予め定められた量の湯を正確に抽出用カップ１００に導入できる。
【００７２】
次に、抽出装置１において行なわれる、全体的な動作の制御内容について説明する。図１９および図２０に、抽出装置１の備えるＣＰＵ（central processing unit）が実行する、一般的な動作の制御処理のフローチャートを示す。なお、当該ＣＰＵは、抽出装置１におけるあらゆる部材の動作を電気的に制御することができる。
【００７３】
以下の制御処理の説明において、設定スイッチ（設定ＳＷ）は、抽出装置１において、貯水タンク３への給水を、ユーザによる手差し式に対応させるか、所定の給水装置を接続させる自動式に対応させるかの設定を行なうためのスイッチであって、回路基板６６上に設けられるスイッチである。
【００７４】
また、水位検知スイッチ（水位検知ＳＷ）は、水位センサ３０が水を検知している際にＯＮされるスイッチであって、その検知出力が回路基板６６上の所定の回路に出力されるスイッチである。水位検知スイッチの検知出力によって、貯水タンク３内の水位が水位センサ３０の設置されている高さまであるか否かが検知できる。なお、水位センサ３０は、本実施の形態では、貯水タンク３内の比較的下部に設置されている。
【００７５】
また、扉スイッチ（扉ＳＷ）は、前述した、引出し２９が抽出動作に適する位置にあることを検知するスイッチであり、引出し２９が抽出室７０内に収容され抽出動作に適する位置にあるとＯＮされ、引出し２９が当該適する位置から引出されることによりＯＦＦされる。
【００７６】
また、前スイッチ（前ＳＷ）は、スイッチ７８であり、後スイッチ（後ＳＷ）は、スイッチ７７である。ここで、スイッチ７７，７８の動作について、図７を再度参照して、歯板７５の移動態様と関連づけて詳細に説明する。スイッチ７８は、板体７８Ａを矢印ＲＢ方向に押圧されることにより、ＯＮ−ＯＦＦが切替えられる。スイッチ７７は、板体７７Ａを矢印ＲＡ方向に押圧されることにより、ＯＮ−ＯＦＦが切替えられる。歯板７５には、スイッチ７７，７８側の側面に凸部７６が備えられている。
【００７７】
また、スタートスイッチ（スタートＳＷ）は、スタートボタン２１またはスタートボタン２２が押圧されることによりＯＮするスイッチである。
【００７８】
ギヤモータ７３がある方向に回転し、歯板７５が矢印ＲＢ方向に移動したとき、凸部７６の前端が板体７８Ａを矢印ＲＢ方向に押圧すると、スイッチ７８がＯＮされる。これにより、ギヤモータ７３への通電が停止される。なお、この状態から歯板７５が矢印ＲＡ方向に移動し、凸部７６により板体７８Ａの押圧が解除されると、スイッチ７８はＯＦＦされる。
【００７９】
一方、ギヤモータ７３が上記ある方向とは逆の方向に回転し、歯板７５が矢印ＲＡ方向に移動したとき、凸部７６の後端が板体７７Ａを矢印ＲＡ方向に押圧すると（図７に示す状態）、スイッチ７７がＯＮされる。これにより、ギヤモータ７３への通電が停止される。なお、この状態から歯板７５が矢印ＲＢ方向に移動し、凸部７６により板体７７Ａの押圧が解除されると、スイッチ７７はＯＦＦされる。
【００８０】
つまり、ギヤモータ７３が回転することによって歯板７５が移動することにより、スイッチ７７，７８のＯＮ−ＯＦＦが切替えられる。なお、歯板７５は、凸部７６が板体７７Ａを押圧する位置から板体７８Ａを押圧する位置までの範囲で、移動することになる。
【００８１】
また、カップ検出スイッチ（カップ検出ＳＷ）は、レバー８６Ａがスイッチ８６の本体内に収容されることによりＯＮされるスイッチである。つまり、抽出用カップ１００の有無、および、抽出用カップ１００が抽出動作に適した位置にあるか否かを検知するためのスイッチである。
【００８２】
再度図１９を参照して、抽出装置１に外部から電力が投入されると、ＣＰＵは、まず、ステップＳ１（以下、ステップを省略する）で、設定ＳＷのＯＮ／ＯＦＦを検出する。なお、抽出装置１に対する外部から電力を投入するか否かは、抽出装置１の後部に取付けられた電源スイッチ９９（図３等参照）を操作されることにより切替えられる。そして、設定ＳＷがＯＮされている（抽出装置１が貯水タンク３に手差しで給水される設定とされている）場合には、処理をＳ３に進める。一方、設定ＳＷがＯＦＦされている（抽出装置１が貯水タンク３に自動で給水される設定とされている）場合には、処理をＳ２に進める。
【００８３】
Ｓ２では、ＣＰＵは、給水用の電磁弁を開くよう、信号を出力し、Ｓ３に処理を進める。給水用の電磁弁とは、貯水タンク３に接続された弁であって、開かれることにより貯水タンク３に水が導入され閉じられることにより貯水タンク３への水の導入が停止される。
【００８４】
Ｓ３では、ＣＰＵは、水位検出ＳＷの検知出力がＯＮとなるまで、つまり、水位センサ３０の位置に水が存在することが検知されるまで、Ｓ４で、水補充ＬＥＤ（ランプ２６）を点灯させ、処理をＳ５に進める。
【００８５】
Ｓ５では、Ｓ１と同様に、設定ＳＷのＯＮ／ＯＦＦを検出し、ＯＮの場合にはＳ８へ、ＯＦＦの場合にはＳ６へ、処理を進める。なお、図１９では、設定ＳＷがＯＮの場合を、ＣＰＵがＹＥＳと判断した場合と記述している。
【００８６】
Ｓ６では、所定のタイマを参照することにより、Ｓ５の処理の後１５秒が経過するのを待つ。そして、１５秒が経過すると、Ｓ７で上記した給水用の電磁弁を閉じるための信号を出力し、Ｓ８に処理を進める。
【００８７】
Ｓ８では、ＣＰＵは、温度センサ５４の検知する水温が９７℃を越えたか否かを判断し、水温が９７℃以下であれば、Ｓ９でヒータ５０をＯＮして加熱を開始しＳ１０で準備中ＬＥＤ（ランプ２４）を点灯させる。Ｓ９での加熱は、Ｓ１１で水温が９７℃に達したと判断するまで継続される。そして、Ｓ１１で水温が９７℃に達したと判断すると、ＣＰＵは、Ｓ１２でヒータ５０をＯＦＦし、Ｓ１３へ処理を進める。
【００８８】
以上のことから、抽出装置１において、Ｓ１〜Ｓ１２の処理では、設定ＳＷにおける貯水タンク３への給水態様の設定内容に応じて、制御内容が変化する。つまり、設定ＳＷがＯＮに設定されている場合には、水位センサ３０の設置されている位置に水があると検知されたことに応じて加熱が開始される。一方、設定ＳＷがＯＦＦに設定されている場合には、水位センサ３０の設置されている位置に水があると検知されてから１５秒間給水用の電磁弁が開状態とされて給水が行なわれた後、当該給水用の電磁弁が閉状態とされ、加熱が開始される。このことから、本実施の形態では、ＣＰＵにより導入信号出力部が構成され、設定ＳＷにより水導入設定部が構成されている。また、設定ＳＷがＯＦＦに設定されている場合が、水導入設定部において水導入信号を出力させると設定されている場合に相当する。
【００８９】
そして、Ｓ１３で、ＣＰＵは、ランプ２５を点灯させ、Ｓ１４で、扉ＳＷがＯＦＦされたか否かを検知する。ＯＦＦされていれば、Ｓ１５に処理を進め、前回の抽出動作からまだ一度もＯＦＦされたことが検知されていなければ、Ｓ８に処理を戻す。
【００９０】
Ｓ１５では、ＣＰＵは、扉ＳＷがＯＮされるのを待って、Ｓ１６に処理を進める。Ｓ１６で、ＣＰＵは、ランプ２５を点滅させ、処理をＳ１７に進める。Ｓ１７では、ＣＰＵは、スタートＳＷがＯＮされたか否かを検知する。なお、ＣＰＵは、スタートＳＷがＯＮされることを検知するまで、Ｓ１６〜Ｓ１７の処理を繰返し、スタートＳＷがＯＮされたことを検知すると、処理をＳ１８に進める。
【００９１】
Ｓ１８では、ギヤモータ７３を正転方向に駆動させる。なお、正転とは、歯板７５を前方に移動させる方向に回転させる。これにより、歯板７５は、図１０に示す状態から図１１に示す状態に変化する。
【００９２】
そして、ＣＰＵは、Ｓ１９で、前ＳＷがＯＮされたことを検知すると、Ｓ２０で、ギヤモータ７３の回転を停止させ、処理をＳ２１に進める。
【００９３】
Ｓ２１では、ＣＰＵは、カップ検出ＳＷがＯＮされているか否かを判断し、ＯＮされているとＳ２２で抽出動作を実行した後、Ｓ２４に処理を進める。Ｓ２２の抽出動作の処理内容の詳細については、図２１を参照して後述する。一方、カップ検出ＳＷがＯＮされていない場合には、ＣＰＵは、Ｓ２３で、ブザー等によりエラー報知を行なって、処理をＳ２４に進める。
【００９４】
Ｓ２４では、ＣＰＵは、後ＳＷがＯＮされるまで（Ｓ２５でＹＥＳ判断時）ギヤモータ７３を反転方向に駆動させ、Ｓ２６で、ギヤモータ７３の回転を停止させ、Ｓ２７に処理を進める。
【００９５】
Ｓ２７では、水位検出ＳＷがＯＮされているか否かを判断し、ＯＮされていればＳ８へ、ＯＮされていなければＳ１へ、それぞれ処理を進める。
【００９６】
以上説明した処理では、ギヤモータ７３の駆動は、前ＳＷまたは後ＳＷがＯＮされることにより停止される。なお、本実施の形態では、ギヤモータ７３の駆動の停止は、２段階で行なわれている。ギヤモータ７３の駆動の停止について、図２２を参照して説明する。図２２は、回路基板６６上に備えられている回路の中の、ギヤモータ７３の駆動に関連する部分の、回路図である。
【００９７】
図２２に示す回路図では、ギヤモータ７３、スイッチ７７，７８、放電用抵抗１７７，１７８、リレー１７０、および、集積回路（integrated circuit：ＩＣ）１７５が接続されている。スイッチ７７，７８は、それぞれ、板体７７Ａ，７８Ａを凸部７６に押圧されることにより回路を閉じ、当該押圧を解除されることにより回路を開くよう構成されている。リレー１７０には、ギヤモータ７３の回転方向を切替えるスイッチ１７１，１７２が含まれる。スイッチ１７１，１７２は、それぞれ、３つの接点１７１Ａ〜１７１Ｃ，１７２Ａ〜１７２Ｃを備えている。ＩＣ１７５は、ギヤモータ７３の駆動のＯＮ／ＯＦＦを制御する。また、図示せぬ回路からの制御信号に応じてスイッチ１７１，１７２による回路の開閉が制御されることにより、ギヤモータ７３の回転方向が制御される。
【００９８】
ギヤモータ７３を正転方向に駆動させる場合、スイッチ１７１では、接点１７１Ａと接点１７１Ｂが接続され、スイッチ１７２では、接点１７２Ａと接点１７２Ｂとが接続される。一方、ギヤモータ７３を逆転方向に駆動させる場合、スイッチ１７１では、接点１７１Ｂと接点１７１Ｃが接続され、スイッチ１７２では、接点１７２Ｂと接点１７２Ｃとが接続される。図２２に示す回路内の接点Ｐ１およびＰ２は、直流の電力を供給できる回路に接続されている。つまり、ギヤモータ７３に流す電流の方向を反転させることにより、ギヤモータ７３の駆動方向を反転させている。
【００９９】
そして、ギヤモータ７３の駆動を停止させる際には、ＩＣ１７５からの出力がオフされる。なお、本実施の形態では、これに加え、スイッチ７７，７８による回路の開閉も切替えられる。
【０１００】
具体的には、ギヤモータ７３の正転方向の駆動を停止させる際には、凸部７６が板体７８Ａを押圧することにより、スイッチ７８が回路を閉じる。これにより、ギヤモータ７３は、ＩＣ１７５により電力の供給が停止されるのに加え、その周辺に残留する電流が、放電用抵抗１７８により消費される。なお、図２２に示す回路では、ギヤモータ７３が正転方向に駆動される際、ギヤモータ７３には図中の矢印Ｌ２の方向に電流が流れる。このため、スイッチ７８が回路を閉じた際、ダイオード１７８Ａにより、ギヤモータ７３周辺に残留する電流が効率よく放電用抵抗１７８により消費され、ギヤモータ７３に流れ込むことを阻止できる。
【０１０１】
一方、ギヤモータ７３の逆転方向の駆動を停止させる際には、凸部７６が板体７７Ａを押圧することにより、スイッチ７７が回路を閉じる。これにより、ギヤモータ７３は、ＩＣ１７５により電力の供給が停止されるのに加え、その周辺に残留する電流が、放電用抵抗１７７により消費される。なお、図２２に示す回路では、ギヤモータ７３が逆転方向に駆動される際、ギヤモータ７３には図中の矢印Ｌ１の方向に電流が流れる。このため、スイッチ７７が回路を閉じた際、ダイオード１７７Ａにより、ギヤモータ７３周辺に残留する電流が効率よく放電用抵抗１７７により消費され、ギヤモータ７３に流れ込むことを阻止できる。
【０１０２】
以上のように、本実施の形態では、ギヤモータ７３の駆動の停止が、ＩＣ１７５を用いたものと、スイッチ７７，７８を用いたものとの２段階で行なわれている。これにより、ギヤモータ７３を、停止すべきときに確実に停止させることができるため、固定部材６４が、図１０または図１１に示した待機位置または抽出動作時の位置に、確実に、停止される。
【０１０３】
図２１は、Ｓ２２の抽出動作処理のサブルーチンのフローチャートである。以下、抽出動作処理の内容を詳細に説明する。
【０１０４】
抽出動作処理では、ＣＰＵは、Ｓ２２１で、スタートＳＷがＯＮされたのは、ホットに対応するスタートボタン２１か押圧されたことによるのか否かを判断し、そうであれば、Ｓ２２２に処理を進める。一方、そうでなければ、処理をＳ２２４に進める。
【０１０５】
Ｓ２２２で、ＣＰＵは、抽出用カップ１００内に、ギヤポンプ６に湯を送らせることにより、予め定められた量の湯を２０秒間にわたって導入させた後、Ｓ２２３で、三方電磁弁６０の弁を切替えることにより、導入針６５と吸気孔６１とを接続させ、ギヤポンプ６に抽出用カップ１００へ１０秒間空気を送らせ、リターンする。
【０１０６】
一方、Ｓ２２４で、ＣＰＵは、スタートＳＷがＯＮされたのはアイスに対応するスタートボタン２２が押圧されたことによるのか否かを判断する。そして、そうであれば、Ｓ２２５に処理を進める。なお、Ｓ２２４で、スタートボタン２２の押圧によるものであると判断できなかった場合には、ＣＰＵは、再度、処理をＳ２２１に戻す。
【０１０７】
Ｓ２２５では、抽出用カップ１００内に、ギヤポンプ６に湯を送らせることにより、予め定められた量の湯の一部を６秒間にわたって導入させた後、Ｓ２２６で、２秒間待機する。そして、予め定められた量の湯の残りを１２秒間に渡って抽出用カップ１００内に導入させた後、三方電磁弁６０の弁を切替えることにより、導入針６５と吸気孔６１とを接続させ、ギヤポンプ６に抽出用カップ１００へ１０秒間空気を送らせ、リターンする。
【０１０８】
抽出装置１では、ホット、アイスのそれぞれについて、異なる量の湯を抽出用カップ１００内に導入するよう設定することができる。抽出装置１において、回路基板６６上に備えられている回路の中の、湯の導入量を設定する部分の回路図を図２３に示す。
【０１０９】
図２３に示す回路には、ギヤポンプ６を駆動するためのモータ８１、ＩＣ１０、トランジスタ９０，９８、スイッチ９１〜９７、抵抗１１〜１７、および、抵抗１８，１９が含まれている。トランジスタ９０，９８は、それぞれ、アイス用の抽出動作を制御するための回路（ＩＣＥ制御回路）、ホット用の抽出動作を制御するための回路（ＨＯＴ制御回路）に接続されている。また、ＩＣ１０は、抽出動作全体を制御するための回路（抽出制御回路）に接続されている。
【０１１０】
トランジスタ９０には、スイッチ９１〜９３および抵抗１１〜１３が直列に接続されている。トランジスタ９８には、スイッチ９４〜９７および抵抗１４〜１７が直列に接続されている。抵抗１１〜１７は、抵抗１８に対して並列に、抵抗１９に対して直列に接続されている。
【０１１１】
抽出装置１では、アイス用の抽出動作が行なわれる際、トランジスタ９０がオンする。また、このときモータ８１に供給される電圧は、抵抗１１〜１３のいずれかと抵抗１８との合成抵抗と、当該抵抗１９と、によって分圧されることによって決定される。モータ８１に供給される電圧値は、ギヤモータ６を駆動する電圧値であるため、抽出用カップ１００に導入される湯量に対応する。つまり、アイス用の抽出動作が行なわれる際、スイッチ９１〜９３のいずれかに回路を閉じさせることにより、アイス用の抽出動作における抽出量が設定される。また、抽出装置１では、ホット用の抽出動作が行なわれる際、トランジスタ９８がオンする。そして、アイス用の抽出動作と同様に、スイッチ９４〜９７のいずれかに回路を閉じさせることにより、ホット用の抽出動作における抽出量が設定される。なお、各場合の抽出量は、抵抗１１〜１７の抵抗値を適宜調整することにより、決定される。
【０１１２】
つまり、スイッチ９１〜９７により、ギヤポンプ６に１回の給湯動作で送る湯の量を指定する湯量指定部が構成されている。なお、スイッチ９１〜９７のいずれに回路を閉じさせるかを、ユーザによって設定できるよう構成されていることが好ましい。
【０１１３】
また、図２１に示した抽出動作処理におけるタイミングチャートを図２４および図２５に示す。なお、図２４は、ホット用の抽出動作に対応し、図２５は、アイス用の抽出動作に対応する。また、図２４，図２５には、ギヤモータ７３の駆動態様、三方電磁弁６０の駆動態様、ギヤポンプ６の駆動電圧が示されている。
【０１１４】
図２４を参照して、ホット用の抽出動作処理が開始されると、ギヤモータ７３が正転方向に約１秒間駆動される。これにより、固定部材６４が抽出動作に適する位置まで下降する。その後、三方電磁弁６０が、管６３を、管５３と接続させ、ギヤポンプ６が１８Ｖの駆動電圧で２０秒間駆動される。これにより、Ｓ２２２で説明したような２０秒間の抽出用カップ１００への湯の供給がなされる。
【０１１５】
その後、三方電磁弁６０が、管６３を、吸気孔６１と接続させ、ギヤポンプ６が２２Ｖの駆動電圧で１０秒間駆動される。これにより、Ｓ２２３で説明したように、抽出用カップ１００内に１０秒間空気が送られる。その後、ギヤモータ７３が約１秒間反転方向に駆動されることにより、固定部材６４が待機位置への上昇される。
【０１１６】
図２５を参照して、アイス用の抽出動作処理が開始されると、ギヤモータ７３が正転方向に約１秒間駆動される。これにより、固定部材６４が抽出動作に適する位置まで下降する。その後、三方電磁弁６０が、管６３を、管５３と接続させ、ギヤポンプ６が１２Ｖの駆動電圧で６秒間駆動される。これにより、Ｓ２２５で説明したような６秒間の抽出用カップ１００への湯の供給がなされる。その後、Ｓ２２６の処理に対応するように２秒間ギヤポンプ６の駆動が停止され、Ｓ２２７の処理に対応するように再度１２秒間１２Ｖの駆動電圧で駆動される。
【０１１７】
その後、三方電磁弁６０が、管６３を、吸気孔６１と接続させ、ギヤポンプ６が２２Ｖの駆動電圧で１０秒間駆動される。これにより、Ｓ２２３で説明したように、抽出用カップ１００内に１０秒間空気が送られる。その後、ギヤモータ７３が約１秒間反転方向に駆動されることにより、固定部材６４が待機位置への上昇される。
【０１１８】
以上説明したホット用またはアイス用の抽出動作では、いずれも、固定部材６４が抽出動作に適する位置に下降されてから３０秒間で抽出動作が行なわれ、その中の最後の１０秒間では、抽出用カップ１００に空気が送られる。なお、最後の１０秒間において、抽出用カップ１００に空気を送る際のギヤポンプ６の駆動電圧は、湯を送る際の駆動電圧よりも高い。これにより、抽出用カップ１００には、空気が、強力に、送られる。したがって、抽出用カップ１００内に残った抽出液を、より多く、カップ４００等に供給できる。
【０１１９】
また、ホット用およびアイス用において抽出量は、同じ時間内で、湯を供給する際のギヤポンプ６を駆動する電圧値を変化させることにより、変化させられる。なお、ギヤポンプ６の駆動電圧は、図２３を用いて説明したように、変化される。このように、本実施の形態では、ホット用でもアイス用、また、抽出量が変化する場合でも同じ時間内で、抽出動作が実行される。
【０１２０】
なお、図２５に示したアイス用の抽出動作では、抽出動作の途中で、２秒間、ギヤポンプ６の駆動を停止することにより、湯の供給を停止している。これにより、たとえば、コーヒーの抽出液を得る場合であれば、この２秒間で、抽出用カップ１００内のコーヒー豆を蒸らすことができ、得られる抽出液の風味を向上させることができる。
【０１２１】
以上説明した本実施の形態では、抽出用カップ１００に湯を送るポンプとしてギヤポンプを用いたが、指定された量の湯を送るポンプであれば、他のタイプのポンプであってもよい。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の一実施の形態である抽出装置の斜視図である。
【図２】  図１の抽出装置の正面図である。
【図３】  図１の抽出装置の右側面図である。
【図４】  図１の抽出装置の部分的な斜視図である。
【図５】  図１の抽出装置の内部構造を模式的に示す図である。
【図６】  図１の抽出装置の、外装部の前面部分を外した状態での正面図である。
【図７】  図１の抽出装置の、外装部の上面部分を外した状態での平面図である。
【図８】  図１の抽出装置の、外装部の右側面部分を外した状態での右側面図である。
【図９】  図１の抽出装置において、引出しが引出された状態での、引出し付近を示す図である。
【図１０】  図１の抽出装置において、ギヤの回転に応じた固定部材の高さの変化を説明するための図である。
【図１１】  図１の抽出装置において、ギヤの回転に応じた固定部材の高さの変化を説明するための図である。
【図１２】  図１の抽出装置において、固定部材引出しとが部分的に当接する状態を説明するための図である。
【図１３】  図１の抽出装置において、仕切り板、ポンプ用ケース、および、回路基板の位置関係を示す図である。
【図１４】  図１３のポンプ用ケースの内部構造を示す図である。
【図１５】  図６の貯湯タンクの底部付近の構造を説明するための図である。
【図１６】  図１５のナットの平面図である。
【図１７】  図１の抽出装置の、蒸気管と貯水タンクとの接続部分の拡大図である。
【図１８】  図１の抽出装置の、貯湯タンクの上部に備えられた流出路付近の拡大図である。
【図１９】  図１の抽出装置の備えるＣＰＵが実行する、一般的な動作の制御処理のフローチャートである。
【図２０】  図１の抽出装置の備えるＣＰＵが実行する、一般的な動作の制御処理のフローチャートである。
【図２１】  図２０の抽出動作処理のサブルーチンのフローチャートである。
【図２２】  図１の抽出装置の回路基板上に備えられている回路の中の、ギヤモータの駆動に関連する部分の回路図である。
【図２３】  図１の抽出装置の回路基板上に備えられている回路の中の、湯の導入量を設定する部分の回路図である。
【図２４】  図１の抽出装置の、抽出動作処理におけるタイミングチャートである。
【図２５】  図１の抽出装置の、抽出動作処理におけるタイミングチャートである。
【図２６】  従来の抽出装置における給湯機構を概略的に示す図である。
【符号の説明】
１  抽出装置、２  外装部、３  貯水タンク、５  貯湯タンク、６  ギヤポンプ、１１〜１７  抵抗、２０  操作パネル、２１，２２  スタートボタン、２３窓、２９  引出し、３０  水位センサ、３１  カップホルダ、３２  カップ受け、５０  ヒータ、５１，５３，６２，６３  管、５２  流出路、５２Ａ  整流部材、５８  ナット、５９  蒸気管、６０  三方電磁弁、６４  固定部材、６４Ａ  ピン、６５  導入針、６６  回路基板、７０  抽出室、７３  ギヤモータ、７４  ギヤ、７５  歯板、７６  凸部、７７，７８，９１〜９７，１７１，１７２  スイッチ、８１  モータ、１００  抽出用カップ、１７７，１７８  放電用抵抗。
【図１】
0003766344.tif 000002
【図２】
0003766344.tif 000003
【図３】
0003766344.tif 000004
【図４】
0003766344.tif 000005
【図５】
0003766344.tif 000006
【図６】
0003766344.tif 000007
【図７】
0003766344.tif 000008
【図８】
0003766344.tif 000009
【図９】
0003766344.tif 000010
【図１０】
0003766344.tif 000011
【図１１】
0003766344.tif 000012
【図１２】
0003766344.tif 000013
【図１３】
0003766344.tif 000014
【図１４】
0003766344.tif 000015
【図１５】
0003766344.tif 000016
【図１６】
0003766344.tif 000017
【図１７】
0003766344.tif 000018
【図１８】
0003766344.tif 000019
【図１９】
0003766344.tif 000020
【図２０】
0003766344.tif 000021
【図２１】
0003766344.tif 000022
【図２２】
0003766344.tif 000023
【図２３】
0003766344.tif 000024
【図２４】
0003766344.tif 000025
【図２５】
0003766344.tif 000026
【図２６】
0003766344.tif 000027